(57)【要約】【課題】建物の室全体に芳香を略均一に香らせることが可能で、火の始末も不要な住宅用給気装置を提供すること。【解決手段】建物内に配索された給気ダクトと、この給気ダクトに接続されて建物内空間に向けて開口された床給気口７と、給気ダクトに給気を行う給気手段と、を備え、床給気口７から建物内へ給気可能に構成された住宅用給気装置において、床給気口７からの給気に芳香を与える芳香剤が含浸された芳香剤シート２１を設けた。【選択図】図３
2007309606.tif 000002
【特許請求の範囲】
【請求項１】
建物内に配索された給気ダクトと、この給気ダクトに接続されて建物内空間に向けて開口された給気口と、前記給気ダクトに給気を行う給気手段と、を備え、
前記給気口から建物内へ給気可能に構成された住宅用給気装置であって、
前記給気口からの給気に芳香を与える芳香付与手段が設けられていることを特徴とする住宅用給気装置。
【請求項２】
前記芳香付与手段は、給気に芳香を与える芳香剤と、前記給気口内に前記芳香剤を収容する収容手段と、を備えていることを特徴とする請求項１に記載の住宅用給気装置。
【請求項３】
前記芳香付与手段は、給気に芳香を与える芳香剤と、前記給気口に隣り合う位置で前記芳香剤を収容する収容手段と、を備えていることを特徴とする請求項１に記載の住宅用給気装置。
【請求項４】
前記芳香付与手段が、前記芳香剤を含浸させた芳香剤シートを備えていることを特徴とする請求項１〜３のいずれか１項に記載の住宅用給気装置。
【請求項５】
前記給気口に、給気を可能としながら前記給気口を覆う覆い部材が設けられ、
この覆い部材に、前記収容手段が設けられていることを特徴とする請求項２または請求項４に記載の住宅用給気装置。
【請求項６】
前記覆い部材が、前記建物の天井に設けられた前記給気口としての天井給気口に取り付けられて給気を拡散させる羽根部材であることを特徴とする請求項５に記載の住宅用給気装置。
【請求項７】
前記覆い部材が、前記建物の床に開口された床給気口に取り付けられたグリル部材であり、
このグリル部材の裏面側に、グリル部材の開口からの物体の落下を防止可能であるとともに給気中の埃を除去可能なフィルタを兼ねた前記芳香剤シートが保持されていることを特徴とする請求項５に記載の住宅用給気装置。
【請求項８】
請求項３に記載された住宅用給気装置において、
前記芳香付与手段として、請求項７に記載の芳香剤シートを備え、
前記収容部に収容された芳香剤を、前記芳香剤シートに導く芳香剤導入路が設けられていることを特徴とする住宅用給気装置。
【発明の詳細な説明】
【技術分野】
【０００１】
本発明は、芳香を建物内の部屋全体に香らせることができる住宅用給気装置に関する。
【背景技術】
【０００２】
従来、市販の芳香剤を室内に設置したり、あるいは、室内でお香を焚いたりして、建物内に芳香を香らせることが行われている。
【発明の開示】
【発明が解決しようとする課題】
【０００３】
しかしながら、芳香剤を設置した場合、芳香剤の近くでは強く香りがする一方、芳香剤から離れると、香りが弱くなったり、香りがしなかったりするというように、室全体で均一に香りが得られるようにすることが難しかった。
また、お香を焚く場合、火を使用するため、火の始末が面倒である。
【０００４】
本発明は、上述の問題点に着目して成されたもので、建物の室全体に芳香を略均一に香らせることが可能で、火の始末も不要な住宅用給気装置を提供することを目的とするものである。
【課題を解決するための手段】
【０００５】
本発明は、上述事情に鑑みなされたものであって、請求項１に記載の発明は、建物内に配索された給気ダクトと、この給気ダクトに接続されて建物内空間に向けて開口された給気口と、前記給気ダクトに給気を行う給気手段と、を備え、前記給気口から建物内へ給気可能に構成された住宅用給気装置であって、前記給気口からの給気に芳香を与える芳香付与手段が設けられていることを特徴とする住宅用給気装置である。
【０００６】
請求項２に記載の発明は、請求項１に記載の住宅用給気装置において、前記芳香付与手段は、給気に芳香を与える芳香剤と、前記給気口内に前記芳香剤を収容する収容手段と、を備えていることを特徴とする住宅用給気装置である。
【０００７】
請求項３に記載の発明は、請求項１に記載の住宅用給気装置において、前記芳香付与手段は、給気に芳香を与える芳香剤と、前記給気口に隣り合う位置で前記芳香剤を収容する収容手段と、を備えていることを特徴とする住宅用給気装置である。
【０００８】
請求項４に記載の発明は、請求項１〜３のいずれか１項に記載の住宅用給気装置において、前記芳香付与手段が、前記芳香剤を含浸させた芳香剤シートを備えていることを特徴とする住宅用給気装置である。
【０００９】
請求項５に記載の発明は、請求項２または請求項４に記載の住宅用給気装置において、前記給気口に、給気を可能としながら前記給気口を覆う覆い部材が設けられ、この覆い部材に、前記収容手段が設けられていることを特徴とする住宅用給気装置である。
【００１０】
請求項６に記載の発明は、請求項５に記載の住宅用給気装置において、前記覆い部材が、前記建物の天井に設けられた前記給気口としての天井給気口に取り付けられて給気を拡散させる羽根部材であることを特徴とする住宅用給気装置である。
【００１１】
請求項７に記載の発明は、請求項５に記載の住宅用給気装置において、前記覆い部材が、前記建物の床に開口された床給気口に取り付けられたグリル部材であり、このグリル部材の裏面側に、グリル部材の開口からの物体の落下を防止可能であるとともに給気中の埃を除去可能なフィルタを兼ねた前記芳香剤シートが保持されていることを特徴とする住宅用給気装置である。
【００１２】
請求項８に記載の発明は、請求項３に記載された住宅用給気装置において、前記芳香付与手段として、請求項７に記載の芳香剤シートを備え、前記収容部に収容された芳香剤を、前記芳香剤シートに導く芳香剤導入路が設けられていることを特徴とする住宅用給気装置である。
【発明の効果】
【００１３】
請求項１に記載の住宅用給気装置では、給気手段を作動させると、ダクトから給気口を通り建物内空間へ給気が行われる。
【００１４】
このとき、給気口からの給気に芳香付与手段により芳香が与えられる。このように、本発明では、給気口から建物空間へ吹き出される給気に芳香が与えられるため、単に、建物空間へ芳香剤を設置するのと比較して、芳香の拡散および均一化を図ることができる。しかも、お香の場合のように火を用いないため、火の始末も不要で使い勝手に優れる。
【００１５】
請求項２に記載の発明では、給気口内の収容手段に芳香剤を収容するようにしたため、給気に芳香を付与するのが容易である。
【００１６】
また、芳香剤および収容手段を給気口内に配置するため、建物内に新たに芳香付与手段の設置スペースを設ける必要が無く、先付け後付を問わず、施工が容易であり、かつ、目に触れにくく見栄えに優れる。
【００１７】
請求項３に記載の発明では、芳香剤を収容する収容手段を、給気口に隣り合う位置に配置したため、給気手段が加熱空気を給気する手段である場合、芳香剤を給気口内に配置するのに比べて、芳香剤が加熱空気で過加熱されるのを抑制でき、これにより、芳香剤が熱により変質したり給気に過付与されたりするのを防止することができる。
【００１８】
請求項４に記載の発明では、芳香機能が低下した際には、使用中の芳香剤シートに芳香剤を追加して含浸させるか、あるいは、使用中の芳香剤シートを芳香剤が含浸された新たな芳香剤シートと交換する。
【００１９】
また、給気口の給気が、この芳香剤シートを通過するようにすれば、給気に効率的に芳香を付与させることができる。
【００２０】
請求項５に記載の発明では、給気が通過する覆い部材に芳香剤を収容する収容手段を設けたため、給気に効率的に芳香を付与することができる。
【００２１】
請求項６に記載の発明では、羽根部材に設けられた収容手段に収容された芳香剤が給気に付与され、さらに、給気口に設けられた羽根部材により拡散されて給気される。
【００２２】
したがって、芳香剤が効率的に給気に付与されるとともに拡散され、芳香がより広く拡散する。
【００２３】
請求項７に記載の発明では、給気口からの給気がフィルタを兼ねた芳香剤シートおよびグリル部材を通って建物内へ供給される。このため、給気中の埃が芳香剤シートにより除去され、かつ、芳香剤シートに含浸された芳香剤が効率良く給気に付与される。また、グリル部材の開口から給気口への物体の落下が、芳香剤シートにより防止される。
【００２４】
このように、埃除去および物体の落下防止用のフィルタを芳香剤シートとして利用することにより、従来から既存の構成をそのまま利用して芳香を付与することができ、新規にグリル部材や給気口や床を設計および製造するのに比べて、製造コストを抑えることができる。
【発明を実施するための最良の形態】
【００２５】
以下、本発明の実施の形態を図面に基づいて説明する。
（実施の形態１）
図１は、実施の形態１の住宅用換気装置Ａを適用した建物Ｈを示している。
この住宅用換気装置Ａは、給気手段としての換気装置１を備えている。この換気装置１は、建物Ｈの床下に設けられており、図示を省略したモータファンの駆動により、外気導入ダクト２から吸入した外気を、給気ダクト３を介して屋内ＩＤへ供給し、かつ、内気導入ダクト４から吸入した屋内ＩＤの空気を、排気ダクト５を介して屋外ＯＳへ排出可能に構成されている。
【００２６】
また、換気装置１は、図示は省略するが、導入された外気と排出する内気とで熱交換を行う機能を有している。
【００２７】
給気ダクト３は、本実施の形態１では、壁ＷＯおよび天井ＳＬの内部に配索され、１階の部屋ＲＭ１の天井ＳＬに設けられた天井給気口６および２階の部屋ＲＭ２，ＲＭ３の床ＦＬに設けられた床供給口７，８に接続されている。
【００２８】
天井給気口６には、図２に示す羽根部材（覆い部材）１０が着脱可能に設けられている。この羽根部材１０は、天井給気口６に設けられている支持部材に着脱可能に形成された円筒状の円筒部１１と、この円筒部１１の下部に取り付けられて天井給気口６の給気を分散させる羽根部１２と、を備えている。なお、羽根部１２は、図では、円盤状の１枚のみのものを示しているが、一般に「アネモ型」と称されるコーン型の羽根を複数備えたものを用いてもよい。
【００２９】
さらに、円筒部１１の底部が塞がれて収容部１３が形成されており、円筒部１１の底部よりも僅かに上の位置（例えば、受け皿部から０．５〜数ｃｍの高さの位置）には、複数の芳香用穴１４が円筒部１１を貫通して形成されている。そして、収容部１３には、本実施の形態１では、クリーム状の芳香剤が収容されている。
【００３０】
床給気口７，８には、図３に示すグリル部材２０と芳香剤シート２１とが着脱可能に取り付けられている。すなわち、床給気口７，８の内部には、支持枠７０が設けられており、この支持枠７０に芳香剤シート２１およびグリル部材２０を重ねて支持可能に構成されている。
【００３１】
また、グリル部材２０は、図示のように複数のスリット２０ａが形成されており、かつその裏面には、図示を省略するが、スリット２０ａの開度を変更するシャッタが取り付けられている。
【００３２】
芳香剤シート２１は、給気の埃取りおよびスリット２０ａからの物品の落下を防止する既存の不織布や多孔プラスチック網により形成されたフィルタに液状の芳香剤を含浸させたものである。なお、この芳香剤の含浸は、スポイトやスプレーなどを用いて行うことができる。
【００３３】
次に、実施の形態１の作用について説明する。
住宅用換気装置Ａを作動させた際には、外気導入ダクト２から導入された外気は、屋外ＯＳに排出される内気と熱交換された後、給気ダクト３を通り、天井給気口６および床給気口７，８から各部屋ＲＭ１，ＲＭ２，ＲＭ３へ供給される。
【００３４】
その際、天井給気口６では、羽根部材１０の収容部１３に収容された芳香剤の芳香が、換気装置１から供給される給気に付与されて拡散される。このように、芳香剤の芳香は、給気に乗せられて部屋ＲＭ１へ供給されるとともに拡散されるため、市販の芳香剤を部屋ＲＭ１に設置する場合に比べ、部屋ＲＭ１の全体へ広く均一に芳香を付与することができる。
【００３５】
しかも、芳香剤は、皿状の収容部１３に収容されており、部屋ＲＭ１へしたたり落ちることがない。さらに、収容部１３を囲う円筒部１１に、複数の芳香用穴１４が開口されていることから、この芳香用穴１４を設けない場合に比べ、芳香成分を給気に効率的に付与することができる。
【００３６】
一方、床給気口７，８では、給気が芳香剤シート２１を通ってグリル部材２０のスリット２０ａから部屋ＲＭ２，ＲＭ３へ供給され、芳香剤シート２１に含浸されている芳香剤の芳香が、この給気に付与される。
【００３７】
この場合も、芳香が換気装置１からの給気に乗せられて部屋ＲＭ２，ＲＭ３へ供給されるとともに拡散されるため、市販の芳香剤を設置するのに比べて、部屋ＲＭ２，ＲＭ３の全体に広く均一に芳香を付与することができる。
【００３８】
次に、本実施の形態１では、芳香効果が薄れたときには、天井給気口６にあっては、羽根部材１０を天井給気口６から取り外し、その収容部１３に、芳香剤を追加した後、羽根部材１０を再び天井給気口６へ取り付ける。
【００３９】
一方、床給気口７，８では、芳香剤をスポイトで供給する場合には、グリル部材２０のスリット２０ａからスポイトを差し込んで、芳香剤シート２１へ染み込ませる。なお、この場合、複数の芳香剤を調合して、好みの香りにすることも可能である。
【００４０】
また、グリル部材２０を取り外し、芳香剤シート２１にスプレーなどにより芳香剤を追加して染み込ませることや、使用済みの芳香剤シート２１を、芳香剤が含浸された新しい芳香剤シート２１に交換することも可能である。
【００４１】
以上説明したように、実施の形態１の住宅用換気装置Ａでは、芳香剤の芳香を天井給気口６および床給気口７，８からの給気に乗せて部屋へ供給するようにしたため、部屋全体に広く均一に芳香を付与することが可能で高い芳香性能を得ることができ、かつ、お香を焚く場合のように火の始末も不要で、使い勝手に優れる。
【００４２】
しかも、羽根部材１０では、芳香剤を収容する収容部１３を設けたことにより、羽根部材１０による拡散性能によりいっそう芳香を拡散することができる。また、収容部１３を皿状に形成しているため、芳香剤が部屋ＲＭ１へ垂れ落ちるおそれなく芳香剤を収容できる。加えて、円筒部１１に芳香用穴１４を形成したため、芳香を効率良く供給することができる。
【００４３】
また、床給気口７，８では、既存の埃取りおよび物品落下防止用のフィルタを利用して芳香剤を含浸させた芳香剤シート２１を用いるようにしたため、既存の構成をそのまま利用して、上記効果を得ることができるもので、新規に設計および製造する部分が不要であり、安価に提供することが可能である。加えて、給気は、芳香剤が含浸された芳香剤シート２１を必ず通過するため、芳香を効率よく付与することができる。
【００４４】
さらに、実施の形態１では、芳香成分を天井給気口６および床給気口７，８の内部に配置するようにしたため、建物Ｈ側の構成に設計変更が不要であり、これによっても、安価に提供することができる。
【００４５】
（他の実施の形態）
以下に、他の実施の形態について説明する。なお、これら他の実施の形態の説明にあたり、実施の形態１と同一あるいは均等の構成には、実施の形態１と同一の符号を付けてその説明を省略する。
【００４６】
（実施の形態２）
次に、図４に示す実施の形態２の住宅用換気装置について説明する。なお、この実施の形態２の住宅用換気装置は、実施の形態１の一部を変更したものである。
【００４７】
図４は実施の形態２の住宅用換気装置に用いられる羽根部材２１０を示す斜視図であり、この羽根部材２１０は、実施の形態１と同様の円筒部２１１および羽根部２１２を備えている。
【００４８】
実施の形態１との相違点は、円筒部１１に形成されていた芳香用穴１４に代えて、円筒部２１１の内側に形成された収容部（図４では図示を省略している）の底部の位置で、羽根部２１２を貫通して複数の芳香用穴２１４が開口されている。
【００４９】
また、円筒部２１１の内側の収容部には、芳香剤を含浸させた芳香剤シート２１５が収容される。
この他の構成については実施の形態１と同様であるので説明を省略する。
【００５０】
したがって、実施の形態２の住宅換気装置にあっても、実施の形態１と同様に、部屋全体に広く均一に芳香を付与することが可能で高い芳香性能を得ることができ、かつ、お香を焚く場合のように火の始末も不要で、使い勝手に優れる。
【００５１】
また、羽根部材２１０では、天井給気口６を通る給気に芳香剤シート２１５のほう降雨が付与されて拡散され、また、芳香剤シート２１５を通り抜けた給気の一部が、芳香用穴２１４を通って部屋ＲＭ１に供給され、いっそう効率的な芳香の付与が成される。
【００５２】
（実施の形態３）
次に、図５に示す実施の形態３の住宅用換気装置について説明する。なお、実施の形態３の住宅用換気装置は、実施の形態１の一部を変更したものである。
【００５３】
図５は、実施の形態３の住宅用換気装置に用いられた床給気口７の一部を示す断面図であり、床ＦＬにおいて、床給気口７に隣り合う位置に芳香剤収容溝３０１が形成されている。また、この芳香剤収容溝３０１の底部と床給気口７において、芳香剤シート２１が配置される位置とを連通する供給孔３０４が１または複数穿設されている。なお、芳香剤収容溝３０１は、床ＦＬと同一面に配置された蓋部材３０２により開閉可能に形成されている。
【００５４】
さらに、芳香剤収容溝３０１には、液状の芳香剤を収容した芳香剤カートリッジ３０３が収容されており、この芳香剤カートリッジ３０３内の芳香剤が供給孔３０４を介して芳香剤シート２１へ供給可能に構成されている。
この他の構成については実施の形態１と同様であるので説明を省略する。
【００５５】
したがって、実施の形態３の住宅換気装置にあっても、実施の形態１と同様に、部屋全体に広く均一に芳香を付与することが可能で高い芳香性能を得ることができ、かつ、お香を焚く場合のように火の始末も不要で、使い勝手に優れる。
【００５６】
さらに、実施の形態３では、芳香剤シート２１における芳香剤の含浸量が低下したときには、芳香剤カートリッジ３０３に収容された芳香剤が無くなるまで、この芳香剤が随時芳香剤シート２１に供給される。
【００５７】
また、芳香剤カートリッジ３０３が空になったときには、蓋部材３０２を開いて、芳香剤収容溝３０１内の芳香剤カートリッジ３０３を新しいものと交換する。
【００５８】
このように、実施の形態３では、芳香剤シート２１に芳香剤をスポイトで供給するなどの供給作業が不要であり、しかも、芳香機能が低下した際には、芳香剤カートリッジ３０３を交換するだけでよいので、メンテナンス性に優れる。
【００５９】
（実施の形態４）
次に、図６に示す実施の形態４の住宅用換気装置について説明する。なお、実施の形態４の住宅用換気装置は、実施の形態１の一部を変更したものである。
【００６０】
図６は、実施の形態４の住宅用換気装置に用いられた床給気口７の一部を示す斜視図であり、床ＦＬにおいて、床給気口７に隣り合う位置に２つの芳香剤収容溝４０１，４０２が並んで形成されている。
【００６１】
さらに、芳香剤収容溝４０１，４０２には、矢印Ｓ方向にスライドして両芳香剤収容溝４０１，４０２を選択的に覆うことが可能に蓋部材４０３が取り付けられている。
【００６２】
そして、各芳香剤収容溝４０１，４０２には、それぞれ芳香剤シート４０４，４０５が収容されている。なお、各芳香剤シート４０４，４０５には、それぞれ異なる芳香の芳香剤が含浸されている。
【００６３】
また、換気装置１には、図示は省略するが加熱手段が設けられており、床給気口７から温風を供給可能に構成されている。
この他の構成については実施の形態１と同様であるので説明を省略する。
【００６４】
そこで、実施の形態４では、換気装置１を作動させたときには、床給気口７からの給気に、床給気口７の隣に設けられた芳香剤シート４０４，４０５のうちの蓋部材４０３に覆われていない方（図６では芳香剤シート４０４）の芳香が付与される。
【００６５】
したがって、実施の形態４の住宅換気装置にあっても、実施の形態１と同様に、部屋全体に広く均一に芳香を付与することが可能で高い芳香性能を得ることができ、かつ、お香を焚く場合のように火の始末も不要で、使い勝手に優れる。
【００６６】
さらに、本実施の形態４では、芳香剤シート４０４，４０５に床給気口７の給気が直接当たらないよう配置しているため、給気として熱風が送られても、芳香剤が熱により過剰に付与される不具合を回避することができる。
【００６７】
また、実施の形態４では、芳香剤シート４０４，４０５の一方を選択的に部屋ＲＭ２，ＲＭ３に開放することにより、好みの芳香を選択的に付与することができる。
【００６８】
以上、図面を参照して、本発明の実施の形態１ないし４について詳述してきたが、具体的な構成は、この実施の形態１ないし４に限定されるものではなく、本発明の要旨を逸脱しない程度の設計的変更は、本発明に含まれる。
【００６９】
すなわち、実施の形態１〜４では、給気口として、天井ＳＬに設けた天井給気口６と床ＦＬに設けた床給気口７，８を示したが、この組み合わせに限らず、いずれか一方のみとしてもよいし、あるいはこれら以外にも、壁に給気口を形成してもよい。
【００７０】
また、実施の形態１，２に示した羽根部材１０，２１０には、芳香の付与を促進させる芳香用穴１４，２１４として小さな丸穴状のものを示したが、その形状はこれに限らず、例えばスリット状などの他の形状に形成してもよい。
【００７１】
また、実施の形態１〜４では、床給気口７，８では、芳香付与手段として芳香剤シート２１，４０４，４０５を用いたものを示したが、これに限定されず、羽根部材１０に示したようなクリーム状やあるいは液状の芳香剤を収容する部分を、グリル部材２０や床給気口７，８に設けるようにしてもよい。
【００７２】
また、実施の形態１〜４では、給気手段として換気を行う換気装置１を示したが、この給気手段としては、冷房や暖房を行う空調装置を用いてもよいし、あるいは動力を用いない換気装置を用いてもよい。
【図面の簡単な説明】
【００７３】
【図１】本発明の実施の形態１の住宅用換気装置Ａを示す全体図である。
【図２】本発明の実施の形態１の住宅用換気装置Ａに用いられた羽根部材１０を示す斜視図である。
【図３】本発明の実施の形態１の住宅用換気装置Ａにおける床給気口７，８を示す分解斜視図である。
【図４】本発明の実施の形態２の住宅用換気装置に用いる羽根部材２１０を示す斜視図である。
【図５】本発明の実施の形態３の住宅用換気装置の床給気口７の要部を示す断面図である。
【図６】本発明の実施の形態４の住宅用換気装置の床給気口７の要部を示す斜視図である。
【符号の説明】
【００７４】
１     換気装置（給気手段）
３     給気ダクト
６     天井給気口
７     床給気口
８     床給気口
１０   羽根部材（覆い部材）
１３   収容部（収容手段）
２０   グリル部材（覆い部材）
２１   芳香剤シート
２１０ 羽根部材（覆い部材）
２１５ 芳香剤シート
３０１ 芳香剤収容溝（収容手段）
３０３ 芳香剤カートリッジ
４０１ 芳香剤収容溝（収容手段）
４０２ 芳香剤収容溝（収容手段）
４０４ 芳香剤シート
４０５ 芳香剤シート
Ｈ     建物
ＲＭ１ 部屋（建物内）
ＲＭ２ 部屋（建物内）
ＲＭ３ 部屋（建物内）
【図１】
2007309606.tif 000003
【図２】
2007309606.tif 000004
【図３】
2007309606.tif 000005
【図４】
2007309606.tif 000006
【図５】
2007309606.tif 000007
【図６】
2007309606.tif 000008